(57)【要約】【課題】使用者の操作性を妨げることなく、蓋部と容器本体の閉塞状態の維持が解除されていることを視覚的に使用者に知らせることにある。【解決手段】蓋付容器１００は、容器本体１の蓋部３に設けられ、係合位置に位置する場合に容器本体１と蓋部３との閉塞状態を維持するフック５と、蓋部３に軸支された回転軸８３，８４で揺動自在な梁部８０を有する。蓋付容器１００は、梁部８０の引き上げ側端部８２側が持ち上がることによって梁部８０の押し下げ側端部８１側でフック５を係合位置から移動させ、容器本体１と蓋部３との閉塞状態の維持を解除するつまみ８と、引き上げ側端部８２を持ち上げる向きに、押し下げ側端部８１側を付勢するねじりコイルバネ７１と、を備え、ねじりコイルバネ７１は、フック５が係合位置から移動した場合、引き上げ側端部８２側が持ち上がる状態に付勢する。【選択図】図３
2018130426.tif 000002
【特許請求の範囲】
【請求項１】
有底筒状の容器本体の蓋部に設けられ、係合位置に位置する場合に当該容器本体と当該蓋部との閉塞状態を維持するフックと、
前記蓋部に軸支された回転軸で揺動自在な梁部を有し、前記梁部の一方端部側が持ち上がることによって前記梁部の他方端部側で前記フックを前記係合位置から移動させ、前記容器本体と前記蓋部との閉塞状態の維持を解除するつまみと、
前記梁部の一方端部側を持ち上げる向きに、前記梁部の他方端部側を付勢する付勢部材と、を備え、
前記付勢部材は、前記フックが前記係合位置から移動した場合、前記梁部の一方端部側が持ち上がる状態に付勢する蓋付容器。
【請求項２】
前記付勢部材は、前記梁部に固定された前記回転軸に外挿されるコイル部を有するねじりコイルバネを含み、
前記ねじりコイルばねは、前記コイル部の一端に第一腕部と、前記コイル部の他端に第二腕部とを備え、
前記第一腕部が前記蓋部に固定されていることによって、前記第二腕部が、前記梁部の一方端部側を持ち上げる向きに、前記梁部の他方端部側から前記回転軸を付勢する請求項１に記載の蓋付容器。
【請求項３】
前記付勢部材は、前記回転軸に外挿されるコイル部を有するねじりコイルバネを含み、
前記ねじりコイルばねは、前記コイル部の一端に第一腕部と、前記コイル部の他端に第二腕部とを備え、
前記第一腕部が前記蓋部に固定されていることによって、前記第二腕部が前記梁部の他方端部側を付勢する請求項１に記載の蓋付容器。
【発明の詳細な説明】
【技術分野】
【０００１】
本発明は、電気ポット、加湿器、炊飯器等のような蓋付容器に関する。
【背景技術】
【０００２】
従来より一般に知られる蓋付容器は、たとえば、有底筒状の容器本体の開口部を閉塞する蓋部を備え、係合位置に位置する場合に容器本体と蓋部との閉塞状態を維持するフックが、蓋部に揺動自在に設けられたつまみの一方端部側を持ち上げることによってフックが係合位置から移動し、容器本体と蓋部との閉塞状態の維持が解除される。これにより、蓋体を開くことが可能となる。
【０００３】
一般的な蓋付容器は、つまみが蓋部の上部に設けられているものが多い。蓋部の上部は、目立つ位置であるため、意匠性等の観点から、蓋体を開く際に使用者から外力が加えられるとき以外、つまみを所定位置に戻すように構成されている。
これに対して、蓋体が容器本体に完全に閉まっていない位置にある場合においては、蓋体が容器本体に完全に閉まっていないことを、使用者が視認できるようにした技術が知られている（下記特許文献１）。
【０００４】
特許文献１に開示のジャーポットでは、開閉操作レバーの軸（回転軸）より後方の操作部（つまみの梁部の一方端部）に付勢体（付勢部材）が設けられ、爪掛合部と掛止爪とが不完全掛止状態の場合（蓋部と容器本体の閉塞状態の維持が解除されている場合）には、開閉操作レバーの後部（つまみの梁部の一方端部）が蓋体表面から飛び出るようになっているため、不完全掛止状態を使用者に視認させることができる。
【先行技術文献】
【特許文献】
【０００５】
【特許文献１】特開平７−２２２６７９号公報
【発明の概要】
【発明が解決しようとする課題】
【０００６】
しかし、特許文献１に開示のジャーポットの場合、使用者が指を掛けて操作するつまみの梁部の一方端部に付勢部材を備えるため、使用者の操作性が低下する。すなわち、つまみにおける使用者が指をかけることができる部分（以下、つまむ部分と称する）において付勢部材が障害となり、つまむ部分が狭くなるため、使用者のつまみ操作の妨げとなる。
ここで、使用者の操作性を維持するためにつまみの梁部の一方端部を大きく取ることも考えられるが、部品が大型化するなどして不経済である。
【０００７】
そこで、本発明は、かかる実状に鑑みて為されたものであって、使用者の操作性を妨げることなく、蓋部と容器本体の閉塞状態の維持が解除されていることを視覚的に使用者に知らせることができる蓋付容器を提供することを目的とする。
【課題を解決するための手段】
【０００８】
上記目的を達成するための本発明に係る蓋付容器の特徴構成は、
有底筒状の容器本体の蓋部に設けられ、係合位置に位置する場合に当該容器本体と当該蓋部との閉塞状態を維持するフックと、
前記蓋部に軸支された回転軸で揺動自在な梁部を有し、前記梁部の一方端部側が持ち上がることによって前記梁部の他方端部側で前記フックを前記係合位置から移動させ、前記容器本体と前記蓋部との閉塞状態の維持を解除するつまみと、
前記梁部の一方端部側を持ち上げる向きに、前記梁部の他方端部側を付勢する付勢部材と、を備え、
前記付勢部材は、前記フックが前記係合位置から移動した場合、前記梁部の一方端部側が持ち上がる状態に付勢する点にある。
【０００９】
上記構成によれば、つまみによってフックが係合位置から移動した場合において、付勢部材は梁部の一方端部側を持ち上げる向きにつまみを付勢する。このように、付勢部材の付勢力によってつまみの梁部の一方端部側が持ち上げられる状態になる。このことにより、使用者は、つまみの梁部の一方端部側が持ち上がっていることを視認できるようになり、容器本体と蓋部との閉塞状態の維持が解除されている（すなわち容器本体と蓋部とが閉塞状態にない）ことを知ることができる。
【００１０】
しかも、使用者がつまむ部分、すなわちつまみの梁部の一方端部側に付勢部材がないため、蓋部と容器本体の閉塞状態の維持が解除されていることを視覚的に使用者に知らせる上で、使用者の操作性を妨げることがない。
【００１１】
本発明に係る蓋付容器の更なる特徴構成は、
前記付勢部材は、前記梁部に固定された前記回転軸に外挿されるコイル部を有するねじりコイルバネを含み、
前記ねじりコイルばねは、前記コイル部の一端に第一腕部と、前記コイル部の他端に第二腕部とを備え、
前記第一腕部が前記蓋部に固定されていることによって、前記第二腕部が、前記梁部の一方端部側を持ち上げる向きに、前記梁部の他方端部側から前記回転軸を付勢する点にある。
【００１２】
上記構成によれば、付勢部材を回転軸と同軸上で一体に備えることができ、また、ねじりコイルばねを第一腕部で蓋部に固定して、当該回転軸を介して梁部の他方端部側を第二腕部で付勢するため、省スペース化できる。また、つまみのつまむ部分を広く取ることができるため、操作性を向上させることができる。
【００１３】
本発明に係る蓋付容器の更なる特徴構成は、
前記付勢部材は、前記回転軸に外挿されるコイル部を有するねじりコイルバネを含み、
前記ねじりコイルばねは、前記コイル部の一端に第一腕部と、前記コイル部の他端に第二腕部とを備え、
前記第一腕部が前記蓋部に固定されていることによって、前記第二腕部が前記梁部の他方端部側を付勢する点にある。
【００１４】
上記構成によれば、付勢部材を回転軸と一体に備えることができるため、省スペース化できる。また、ねじりコイルばねを第一腕部で蓋部に固定して、第二腕部で梁部の他方端部側を付勢するため、つまみのつまむ部分を広く取ることができるため、操作性を向上させることができる。
【図面の簡単な説明】
【００１５】
【図１】蓋付容器の一例である電気ポットの形態図
【図２】付勢部材（ねじりコイルバネ）の説明図
【図３】蓋付容器の蓋部の構造を説明する分解図
【図４】フックが係合位置にある場合のつまみの状態を説明する断面図
【図５】フックが半掛かり状態にある場合のつまみの状態を説明する断面図
【図６】フックの閉塞状態の維持が解除された場合のつまみの状態を説明する断面図
【図７】フックが係合位置にある場合の付勢部材とつまみの状態を説明する断面図
【図８】フックが半掛かり状態にある場合の付勢部材とつまみの状態を説明する断面図
【図９】フックの閉塞状態の維持が解除された場合の付勢部材とつまみの状態を説明する断面図
【発明を実施するための形態】
【００１６】
〔蓋付容器の概略説明〕
図１から図９に基づいて、本発明の実施形態に係る蓋付容器１００について説明する。本実施形態では、蓋付容器１００として、図１に示す電気ポットを例示して説明する。
【００１７】
本実施形態に係る蓋付容器１００は、図３に示すように、有底筒状の容器本体１の蓋部３に設けられ、係合位置に位置する場合に容器本体１と蓋部３との閉塞状態を維持するフック５と、蓋部３に軸支された回転軸８３、８４で揺動自在な梁部８０を有する。この蓋付容器１００は、梁部８０の一方端部側である引き上げ側端部８２を持ち上げると、回転軸８３、８４に対する梁部８０の他方端部側にある押圧部８６でフック５を押圧し、係合位置から移動させて、閉塞状態の維持を解除するつまみ８と、回転軸８３、８４の回転方向における梁部８０の一方端部である引き上げ側端部８２を持ち上げる向きに、梁部８０の他方端部側からつまみ８を付勢する付勢部材としてのねじりコイルバネ７１と、を備える。
【００１８】
〔蓋付容器の詳細説明〕
以下、蓋付容器１００の各構成要素について具体的に説明する。
図１に示した実施形態の蓋付容器１００は、容器本体１の肩部材２の上部に蓋部３をヒンジ１４（図３参照）により開閉自在に取付けている。肩部材２のくちばし部２１の前部上面に操作パネル６が設けられ、その下方に湯の吐出口７が設けられている。また、蓋部３には容器本体１に対して蓋部３の開閉を行うためのつまみ８が設けられる。
【００１９】
上記の蓋部３は、図３に示すように、外蓋３０と、その下面に嵌合一体化された内蓋４０と、を有する。
外蓋３０の外蓋本体３１の前後方向Ｙの前方Ｙ１の前端部には、つまみ取付凹部３３が設けられる。
【００２０】
つまみ取付凹部３３の底面中央部には、左右方向Ｘに延在する支点リブ３４が設けられ、その支点リブ３４の前方Ｙ１側は上下方向Ｚに開放した開放部３５となり、後方Ｙ２は底部３６となっている。その開放部３５の左右の壁面において、支点リブ３４に接近して上下方向Ｚの下方Ｚ２が左右方向Ｘに開放している外蓋凹部３７が設けられる。また、底部３６の左右方向Ｘの両壁面において、支点リブ３４に接した補強リブ３４ａが設けられる。
【００２１】
つまみ８は、つまみ取付凹部３３に嵌まる態様で形成された板状の梁部８０を備える。この梁部８０は、蓋部３の上面を平面状に形成されている。梁部８０は、前方Ｙ１の前端部を押し下げ側端部８１と、後方Ｙ２の後端部を引き上げ側端部８２とを有する。またつまみ８は、梁部８０の前方Ｙ１側かつ梁部８０の下方Ｚ２側の面にある隠し壁８５の左右方向Ｘにおける中央部に、下方Ｚ２に突き出した突起として押圧部８６を備える。
【００２２】
さらにつまみ８は、左右方向Ｘの両側面には、押し下げ側端部８１に片寄って（前方Ｙ１側に偏位した位置に）、左右方向Ｘの右側Ｘ１の回転軸８３、左右方向の左側Ｘ２の回転軸８４、が左右に突き出して設けられている。さらにつまみ８は、回転軸８３、８４の引き上げ側端部８２側に沿って隠し壁８５がつまみ８の左右の側面間に設けられる。回転軸８３、８４は、梁部８０と一体成形されている。
【００２３】
つまり、梁部８０の一方端部である引き上げ側端部８２に対して、回転軸８３、８４を挟んで梁部８０の他方端部が押し下げ側端部８１である。上述の押圧部８６は、押し下げ側端部８１から下方Ｚ２に突き出している。
【００２４】
回転軸８３は、梁部８０に平行に、また、梁部８０の引き上げ側端部８２とは他方端部側になる前方Ｙ１の方向に向けて回転軸８３から延出したバネ受け部８７を備える。回転軸８３には、付勢部材としてねじりコイルバネ７１が取り付けられる。ねじりコイルバネ７１は、コイル部７２の一方端部に、コイル部７２からコイルの外周方向に延出する第一腕部７３を備え、コイル部７２の他方端部に、コイル部７２からコイルの外周方向に延出する第二腕部７４を備える。
【００２５】
ねじりコイルばねとは、トーションばねとも呼ばれ、コイル部７２の軸のまわりにねじりモーメント（トルク）を受けて使用される。いわゆるコイルばねと比較しても、同じ重量で保存できるエネルギーが大きいため、同じ量のエネルギーを保存する場合に、いわゆるコイルばねよりも軽量に設計することができる。
【００２６】
ねじりコイルバネ７１は、コイル部７２を回転軸８３に外挿して取り付けられている。ねじりコイルバネ７１は、梁部８０の一方端部を持ち上げる向きに、梁部８０の他方端部側から回転軸８３を付勢している。
第一腕部７３は、回転軸８３に外挿したコイル部７２を支点として、梁部８０の他方端部側にあるバネ受け部８７を回転軸８３の回転方向における、下方Ｚ２に向けて付勢するように取り付けられている。
第二腕部７４は、回転軸８３に外挿したコイル部７２を支点として、外蓋本体３１の下方Ｚ２側の面に係合して固定端として取り付けられる。本実施形態では、外蓋本体３１の下方Ｚ２側の面に、当該面から下方Ｚ２に突出した蓋側バネ受け部３８を設け、第二腕部７４を蓋側バネ受け部３８に係合させて取り付けられている。
【００２７】
つまりねじりコイルバネ７１は、図４等に示すように、つまみ８の回転軸８３を反時計回りに回転する方向に付勢する。この回転する方向は、つまみ８の梁部８０の一方端部である引き上げ側端部８２を持ち上げる向きに一致する。このようにねじりコイルバネ７１を用いることで、つまみ８の引き上げ側端部８２と底部３６との間を広く取ることができるため、使用者の操作性を向上させることができる。
【００２８】
なお、ねじりコイルバネ７１の付勢力は、つまみ８がフック５と係合していないと仮定した場合に、つまみ８の引き上げ側端部８２を持ち上げるために十分な付勢力を備える。また、ねじりコイルバネ７１の付勢力は、付勢ばね５９がフック５を前進方向に付勢し、フック５を通じてつまみ８の押圧部８６を前方に付勢する場合に、当該付勢に抗するほどに強くないように設計されている。
【００２９】
内蓋４０の前方Ｙ１の前縁には、その長手方向が左右方向Ｘに沿う前板４２が形成される。前板４２の左右方向Ｘの中央部分にはその長手方向が左右方向Ｘに沿い、前後方向Ｙの開口部としてフック穴４５が設けられ、フック穴４５の後方Ｙに、フック５のガイド壁４８が設けられる。ガイド壁４８の上方Ｚ１側にフック５の前進規制部４９が設けられる。
【００３０】
内蓋本体４１のフック穴４５からみて後方Ｙに、フック穴４５の開口面と平行に内壁４３が設けられ、内壁４３には、内壁４３から前方に延出した二枚のリブ４４ａの間にばね受け部４４が設けられる。内蓋凹部４７は、前記外蓋３０の外蓋凹部３７の内側面に下方から合致し、回転軸８３、８４の軸穴６１を形成する。
【００３１】
フック５は、およそ長方形の板状をなし、その前端部が肩部材２の内側に凹部として設けられた係合凹部２５に嵌って係合する係合部５５となり、後方Ｙ側には上方Ｚ１に向けて立ち上がる立上がり部５６が設けられる。フック５は、ガイド壁４８の間において前後方向Ｙにスライド自在に収納され、その係合部５５がフック穴４５から突き出すように挿入される。また。フック５の後端面と前記のばね受け部４４との間に付勢ばね５９が介在され、フック５をフック穴４５から突き出す方向（前方Ｙ１の向き）に付勢する。フック５の一定以上の前進は、前進規制部４９において規制される。
【００３２】
つまみ８およびフック５の取り付け状態について補足する。
外蓋本体３１の下向き開放の凹部である外蓋凹部３７と、内蓋４０の上向き開放の凹部である内蓋凹部４７とにより軸穴６１が形成され、その軸穴６１に回転軸８３、８４が揺動自在に嵌合した状態に組み立てられる。すなわち、つまみ８は、その梁部８０が蓋部３で軸支された回転軸８３、８４で揺動自在になっている。
【００３３】
また、つまみ８の押圧部８６が、フック５の立上がり部５６の前面に係合される。付勢ばね５９は、フック５を立上がり部５６を介して前進方向に付勢し、その先端の係合部５５を容器本体１の係合凹部２５に係合させる。このように係合部５５が容器本体１の係合凹部２５に係合し、前進規制部４９において前進を規制された際のフック５の位置が係合位置である（図４参照）。
【００３４】
また、付勢ばね５９はフック５を前進方向に付勢し、フック５の立上がり部５６を介してつまみ８の押圧部８６を前方に押すように取り付けられる。フック５の位置が係合位置にある場合、つまみ８は、フック５を通じてつまみ８の押圧部８６を前方に押された状態で、外蓋３０と同一面で安定した状態にある。つまり、フック５の位置が係合位置にある場合が、蓋部３が閉じた状態である（図４参照）。
【００３５】
〔つまみおよびフック部分の組み立てについての説明〕
つまみ８およびフック５を取り付けた蓋部３の組み立て手順について補足する。
つまみ８は、図３の一点鎖線矢印で示すように、つまみ８をつまみ取付凹部３３の開放部３５下方から差し込み、ねじりコイルバネ７１を回転軸８３に取り付けた状態で、その回転軸８３、８４を外蓋凹部３７に嵌合する。当該嵌合により、つまみ８はつまみ取付凹部３３を外蓋３０と同一面となった状態で閉塞する。そして、隠し壁８５が支点リブ３４の前面に重なり、底部３６の前面の開口部分を覆う状態になる。
【００３６】
フック５をガイド壁４８の間に収納し、付勢ばね５９がばね受け部４４とフック５の間に組み付けられた内蓋本体４１を内蓋４０として、つまみ８が組み付けられた外蓋３０と上下に嵌合し、一体化すると、蓋部３となる。なお、内蓋本体４１の前板４２は、外蓋本体３１の前方Ｙ１側の曲縁３０ａに嵌合される。なお、蓋部３はヒンジ１４において容器本体１に開閉自在に取付けられる。
【００３７】
〔つまみおよびフックの動作についての説明〕
蓋部３を開閉する場合のつまみ８およびフック５の動作について説明する。
まず、蓋部３を開く動作について説明する。
蓋部３が閉じた状態、すなわち容器本体１と蓋部３との閉塞状態においては、フック５は付勢ばね５９に付勢され係合位置（図４、図７参照）にある。なお、本実施形態において、係合位置とは、フック５が係合凹部２５と係合している状態を形成する位置を意味するのでは無く、蓋部３との位置関係において、フック５が、付勢ばね５９に付勢され、前進規制部４９で前進を規制されている状態を形成する位置をいう。
なお、容器本体１と蓋部３との閉塞状態とは、蓋部３が容器本体１を閉塞している状態の事をいい、蓋部３が容器本体１に対して半閉まりとなる状態を含まない。
【００３８】
閉塞状態から蓋部３を開放すべく、その予備的な操作として、使用者が指先で押し下げ側端部８１を指先で押し下げると、つまみ８は回転軸８３、８４を中心として回転し、つまみ８が傾斜して、引き上げ側端部８２がやや持ち上がる（上昇する）。
【００３９】
引き上げ側端部８２がやや持ち上がり、使用者の引き上げ側端部８２を指先で把持してさらに持ち上げると、押圧部８６に押圧されてフック５が係合位置から後方Ｙ２（図３参照）に向けて後退して閉塞状態の維持が解除される。
【００４０】
また、さらに使用者が引き上げ側端部８２を指先で把持したまま持ち上げると（図６、図９参照）、押圧部８６に押圧されてフック５がさらに後方Ｙ２（図３参照）に向けて後退し、図６に示すように、フック５と係合凹部２５との係合状態が完全に解除される。フック５と係合凹部２５との係合状態が完全に解除されると、つまみ８を把持したまま、蓋部３全体を、ヒンジ１４を中心に後方Ｙ２に回転させ開放させることができる。
なお、図６および図９は、引き上げ側端部８２を指先で把持したまま持ち上げた状態を維持した場合を図示しているが、蓋部３を開放した状態で、使用者が指先から引き上げ側端部８２を開放すると、フック５は、付勢ばね５９に付勢されて前進し、前進規制部４９で前進を規制されて止まる。つまり、蓋部３を開放した状態で、つまみ８が使用者の指先から解放されると、フック５は、係合位置に位置して止まる。
【００４１】
つぎに、蓋部３を閉じる動作について説明する。
蓋部３が開いた状態においては、フック５は、付勢ばね５９に付勢され、前進規制部４９で前進を規制されている状態にあり、係合位置に位置する。
蓋部３が開いた状態から蓋部３を閉じるべく、使用者が指先で蓋部３を押し下げ、蓋部３が半閉まり状態になると、フック５の係合部５５が、肩部材２の内側に当たる。このため、フック５は、付勢ばね５９の付勢力に抗して肩部材２の内側から相対的に押圧されて後退する。なお、半閉まり状態とは、フック５が、肩部材２と接触するが、蓋部３が閉塞状態ではない状態のことを言う。
【００４２】
このように、フック５が付勢ばね５９の付勢力に抗して肩部材２の内側から相対的に押圧されて後退している時、つまみ８の押圧部８６は、ねじりコイルバネ７１の付勢力でフック５に当たるまで回転移動する。ねじりコイルバネ７１の付勢によりがつまみ８の引き上げ側端部８２を持ち上げるよう付勢しているためである。
【００４３】
使用者が指先で蓋部３をさらに押し下げると、フック５が係合凹部２５に半掛かりの状態になる（図５および図８参照）。半掛かりの状態とは、フック５が係合位置から移動しているが、依然としてフック５が係合凹部２５と係合している状態をいう。半掛かりの状態においては、係合部５５が係合凹部２５の上方Ｚ１側の内壁面と摩擦状態になる。係合部５５と係合凹部２５との摩擦力が、フック５の付勢ばね５９の付勢力と拮抗すると、この半掛かりの状態が維持される（図５、図８参照）
【００４４】
このように、フック５が付勢ばね５９の付勢力に抗して肩部材２の内側にある係合凹部２５から相対的に押圧されて後退している時、つまみ８の押圧部８６は、ねじりコイルバネ７１の付勢力でフック５に当たるまで回転移動する。ねじりコイルバネ７１がつまみ８の引き上げ側端部８２を持ち上げるよう付勢しているためである。
【００４５】
すなわち、フック５が係合位置から移動した場合に、つまみ８の引き上げ側端部８２が持ち上がり、フック５が係合凹部２５と係合しておらず、使用者に対して蓋部３と容器本体１の閉塞状態の維持が解除されていることを、引き上げ側端部８２の位置によって視覚的に使用者に知らせることができるのである。たとえば、蓋部３が一見すると閉じたように見えるが、完全に閉じていない場合に、使用者は引き上げ側端部８２の位置により視覚的に、蓋部３の閉塞状態が不完全であることを知ることができる。
【００４６】
使用者が指先で蓋部３を最後まで押し下げて完全に閉じると、係合部５５と係合凹部２５との摩擦状態が解除され、付勢ばね５９で付勢されたフック５の係合部５５が係合凹部２５に押し込まれて嵌り、フック５が係合凹部２５に係合する。つまり、フック５が係合位置に位置する。このとき、フック５の立上がり部５６が押圧部８６を付勢して、押し下げ側端部８１が持ち上がり、引き上げ側端部８２が下降する。そして、つまみ８が外蓋３０と平面を形成する状態でつまみ取付凹部３３を閉塞する。この状態で、容器本体１と蓋部３とが閉塞状態となる。
フック５が係合凹部２５と係合しておらず、蓋部３と容器本体１の閉塞状態の維持が解除されていることを、つまみ８の引き上げ側端部８２が下降して、つまみ８が外蓋３０と平面を形成する状態により、視覚的に使用者に知らせることができる。
【００４７】
以上のとおり、つまみ８によってフック５が係合位置から移動した場合において、ねじりコイルバネ７１は梁部８０の引き上げ側端部８２側を持ち上げる向きにつまみ８を付勢する。このように、ねじりコイルバネ７１の付勢力によってつまみ８の梁部８０の引き上げ側端部８２側が持ち上げられる状態になる。このため、使用者は、つまみ８の梁部８０の引き上げ側端部８２側が持ち上がっていることを視認できるようになり、容器本体１と蓋部３との閉塞状態の維持が解除されていることを知ることができる。
【００４８】
しかも、使用者がつまむ部分、すなわちつまみ８の梁部８０の引き上げ側端部８２側にねじりコイルバネ７１がないため、蓋部３と容器本体１の閉塞状態の維持が解除されていることを視覚的に使用者に知らせる上で、使用者の操作性を妨げることがない。
【００４９】
［別実施形態］
（１）上記実施形態では、つまみ８を付勢する付勢部材としてのねじりコイルバネ７１を備え、ねじりコイルバネ７１のコイル部７２を、回転軸８３に外挿して取り付ける場合を例示した。しかしながら、つまみ８を付勢する付勢部材として、ぜんまいバネを備え、当該ぜんまいバネの、バネの巻部を、回転軸８３に外挿して取り付けてもよい。
【００５０】
（２）上記実施形態では、つまみ８を梁部８０の他方端部側から付勢する場合に、梁部８０の引き上げ側端部８２とは他方端部側になる前方Ｙ１に向けて延出したバネ受け部８７を設け、ねじりコイルバネ７１がバネ受け部８７を付勢するように取り付ける場合を例示した。しかしながら、つまみ８を梁部８０の他方端部側から付勢する場合に、ねじりコイルバネ７１が、引き上げ側端部８２の他方端部である押し下げ側端部８１にある押圧部８６を付勢するように取り付けてもよい。
【００５１】
（３）上記実施形態では、引き上げ側端部８２が持ち上がると、押圧部８６に押圧されてフック５が後方Ｙに向けて後退する場合を例示した。しかし、押圧部８６の代わりに牽引部を設け、引き上げ側端部８２が持ち上がると、フック５が牽引されて後方Ｙに向けて後退するようにしてもよい。
【００５２】
（４）上記実施形態では、回転軸８３にバネ受け部８７を備える場合を例示した。しかし、回転軸８４にバネ受け部を設けてもよく、また、回転軸８３、８４の両方にバネ受け部を設けて、ねじりコイルバネなどの付勢部材で付勢してもよい。
【００５３】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【００５４】
（５）上記実施形態では、蓋付容器１００として、電気ポットの場合を例示したが、電気ポット以外の、蓋付の容器の場合もある。たとえば、蓋付容器１００が、電気ケトル、加湿器、炊飯器、パン焼き器等である場合もある。
【産業上の利用可能性】
【００５５】
本発明は、係合位置に在る場合に当該容器本体と当該蓋部との閉塞状態を維持するフックと、当該蓋部に固定された回転軸で揺動自在に軸支された梁部を有し、当該梁部の一方端部を上方に持ち上げると、当該回転軸に対する当該梁部の他方端部で当該フックを押圧し、当該係合位置から移動させて、当該閉塞状態の維持を解除するつまみと、当該回転軸の回転方向における当該梁部の一方端部を持ち上げる向きに、当該梁部の側から当該つまみを付勢する付勢部材と、を備え、当該付勢部材は、当該フックが当該係合位置に位置しない場合に、当該梁部の一方端部を持ち上げて維持する蓋付容器に適用できる。
【符号の説明】
【００５６】
１        ：容器本体
３        ：蓋部
５        ：フック
７１      ：ねじりコイルバネ（付勢部材）
７２      ：コイル部
７３      ：第一腕部
７４      ：第二腕部
８０      ：梁部
８１      ：押し下げ側端部（梁部の他方端部）
８２      ：引き上げ側端部（梁部の一方端部）
８３      ：回転軸
８４      ：回転軸
８６      ：押圧部
１００    ：蓋付容器
【図１】
2018130426.tif 000003
【図２】
2018130426.tif 000004
【図３】
2018130426.tif 000005
【図４】
2018130426.tif 000006
【図５】
2018130426.tif 000007
【図６】
2018130426.tif 000008
【図７】
2018130426.tif 000009
【図８】
2018130426.tif 000010
【図９】
2018130426.tif 000011